(57)【要約】  【課題】適切な整地作業ができる農作業機を提供する。  【解決手段】農作業機１は、耕耘作業をする耕耘体３と、耕耘体３の後方位置で整地作業をする第２の整地体９とを備える。第２の整地体９は、四角筒状の整地体本体部13と、整地体本体部13から斜め後下方に向って突出した突出板部21とを有する。第２の整地体９は、整地体本体部13および突出板部21間に位置する水圧減少用の空間部23を有する。  【選択図】図１
2006149366.tif 000002
【特許請求の範囲】
【請求項１】
耕耘作業をする耕耘体と、
この耕耘体の後方位置で整地作業をする整地体とを備え、
前記整地体は、
整地体本体部と、
この整地体本体部から斜め後下方に向って突出した突出板部と、
前記整地体本体部および前記突出板部間に位置する水圧減少用の空間部とを有する
ことを特徴とする農作業機。
【請求項２】
整地体本体部は、下面部に平面状の整地面部を有する
ことを特徴とする請求項１記載の農作業機。
【請求項３】
突出板部の後部には、後方に向って開口した切欠部が形成されている
ことを特徴とする請求項１または２記載の農作業機。
【請求項４】
整地体本体部が、左右水平方向に長手状の四角筒状部材にて構成されている
ことを特徴とする請求項１ないし３のいずれか一記載の農作業機。
【請求項５】
整地体本体部が、左右水平方向に長手状の円筒状部材にて構成されている
ことを特徴とする請求項１ないし３のいずれか一記載の農作業機。
【請求項６】
突出板部の切欠部は、平面視略三角状に形成されている
ことを特徴とする請求項３記載の農作業機。
【発明の詳細な説明】
【技術分野】
【０００１】
本発明は、適切な整地作業ができる農作業機に関するものである。
【背景技術】
【０００２】
従来、例えば所定方向に回転しながら耕耘作業をするロータリ式の耕耘体（ロータリ）と、この耕耘体の後方位置で整地作業をする整地体（レーキ体）とを備え、整地体は、四角筒状の整地体本体部と、この整地体本体部の後面部下端から後方に向って水平状に突出した突出板部とを有する代掻作業機等の農作業機が知られている（例えば、特許文献１参照）。
【特許文献１】実開平１−５９００４号公報
【発明の開示】
【発明が解決しようとする課題】
【０００３】
しかしながら、上記従来の農作業機では、整地体の突出板部の後端位置において圃場表面部の水（泥水）の流れが乱れ、適切な整地作業ができないおそれがある。
【０００４】
本発明は、このような点に鑑みなされたもので、適切な整地作業ができる農作業機を提供することを目的とする。
【課題を解決するための手段】
【０００５】
請求項１記載の農作業機は、耕耘作業をする耕耘体と、この耕耘体の後方位置で整地作業をする整地体とを備え、前記整地体は、整地体本体部と、この整地体本体部から斜め後下方に向って突出した突出板部と、前記整地体本体部および前記突出板部間に位置する水圧減少用の空間部とを有するものである。
【０００６】
そして、整地体本体部および突出板部間に位置する水圧減少用の空間部によって、整地体の突出板部の後端位置における圃場表面部の水の流れが穏やかになるため、適切な整地作業が可能である。
【０００７】
請求項２記載の農作業機は、請求項１記載の農作業機において、整地体本体部は、下面部に平面状の整地面部を有するものである。
【０００８】
そして、整地体本体部が下面部に平面状の整地面部を有するため、その平面状の整地面部にて効率的に整地作業が可能である。
【０００９】
請求項３記載の農作業機は、請求項１または２記載の農作業機において、突出板部の後部には、後方に向って開口した切欠部が形成されているものである。
【００１０】
そして、突出板部の後部には後方に向って開口した切欠部が形成されているため、その切欠部から圃場表面部の水を逃すことができ、より一層適切な整地作業が可能である。
【００１１】
請求項４記載の農作業機は、請求項１ないし３のいずれか一記載の農作業機において、整地体本体部が、左右水平方向に長手状の四角筒状部材にて構成されているものである。
【００１２】
そして、整地体本体部を左右水平方向に長手状の四角筒状部材にて構成することで、構成の簡素化を図ることが可能である。
【００１３】
請求項５記載の農作業機は、請求項１ないし３のいずれか一記載の農作業機において、整地体本体部が、左右水平方向に長手状の円筒状部材にて構成されているものである。
【００１４】
そして、整地体本体部を左右水平方向に長手状の円筒状部材にて構成することで、構成の簡素化を図ることが可能である。
【００１５】
請求項６記載の農作業機は、請求項３記載の農作業機において、突出板部の切欠部は、平面視略三角状に形成されているものである。
【００１６】
そして、後方に向って開口した平面視略三角状の切欠部から流れ出た水同士が干渉し合って拡散するため、より一層適切な整地作業が可能である。
【発明の効果】
【００１７】
請求項１に係る発明によれば、整地体本体部および突出板部間に位置する水圧減少用の空間部によって、整地体の突出板部の後端位置における圃場表面部の水の流れが穏やかになるため、適切な整地作業ができる。
【００１８】
請求項２に係る発明によれば、整地体本体部が下面部に平面状の整地面部を有するため、その平面状の整地面部にて効率的に整地作業ができる。
【００１９】
請求項３に係る発明によれば、突出板部の後部には後方に向って開口した切欠部が形成されているため、その切欠部から圃場表面部の水を逃すことができ、より一層適切な整地作業ができる。
【００２０】
請求項４に係る発明によれば、整地体本体部を左右水平方向に長手状の四角筒状部材にて構成することで、構成の簡素化を図ることができる。
【００２１】
請求項５に係る発明によれば、整地体本体部を左右水平方向に長手状の円筒状部材にて構成することで、構成の簡素化を図ることができる。
【００２２】
請求項６に係る発明によれば、後方に向って開口した平面視略三角状の切欠部から流れ出た水同士が干渉し合って拡散するため、より一層適切な整地作業ができる。
【発明を実施するための最良の形態】
【００２３】
本発明の農作業機の一実施の形態を図面を参照して説明する。
【００２４】
図１において、１は農作業機で、この農作業機１は、例えば図示しない走行車であるトラクタの後部に作業機昇降支持装置である３点リンク機構（３点リンクヒッチ）を介して昇降可能に装着される水田用ハロー等の代掻作業機である。
【００２５】
そして、農作業機１は、例えば左右方向に長手状でトラクタの後部に装着される作業機本体２を備えている。
【００２６】
作業機本体２には、所定方向に回転しながら耕耘作業をするロータリ式の耕耘体３が回転可能に取り付けられている。この耕耘体３は、例えば左右方向の耕耘軸４およびこの耕耘軸４に放射状に固着された耕耘爪５等にて構成されている。また、作業機本体２には、耕耘体３の上方を覆う略板状のカバー体６が取り付けられている。
【００２７】
そして、カバー体６の後端部には、耕耘体３の後方位置で前端側（上端側）を中心として上下方向に回動しながら傾斜姿勢で整地作業をする略板状の第１の整地体（均平板）７が弾性板であるゴム板８を介して取り付けられている。なお、図示しないが、ゴム板８を用いることなく、カバー体６の後端部に第１の整地体７を左右方向の回動軸を介して取り付けてもよい。
【００２８】
また、第１の整地体７の後端部である下端部には、耕耘体３の後方位置で圃場表面部に追従するように前端側を中心として上下方向に回動しながら水平姿勢で整地作業をする略板状の整地体である第２の整地体（レーキ体）９が左右方向の回動軸10を介して回動可能に取り付けられている。
【００２９】
ここで、第２の整地体９は、図２に示されるように、左右水平方向に長手方向を有する略矩形で略板状に形成され、この第２の整地体９の長手方向両端部には側板11が固着されている。また、第２の整地体９は、図３および図４に示されるように、左右水平方向に長手状で断面略矩形の四角筒状部材（角パイプ）12にて構成された整地体本体部13を有している。この四角筒状の整地体本体部13は、それぞれ平面状の前面部14、後面部15、上面部16および下面部17にて構成され、この下面部17が圃場表面部の水（泥水等）に面状に接触する水平な平面状の整地面部18となっている。
【００３０】
そして、整地体本体部13の後面部15の上下方向中間部、例えば上下方向略中央部からは、左右水平方向に長手状で凹凸状の突出板部21が斜め後下方に向って直線状に突出している。この突出板部21の後端部は、代掻作業時には整地体本体部13の整地面部18と略同じ高さに位置する。また、この突出板部21の後部、例えば後側半部における複数箇所には、前端に１つの頂点をもつ後方に向って開口した平面視略三角状の複数の切欠部22が互いに間隔をおいて左右方向に並んだ状態に形成されている。
【００３１】
また、第２の整地体９は、整地体本体部13の後面部15および突出板部21間に位置して圃場表面部の水の圧力つまり水圧を減少させる側面視略三角状の水圧減少用の空間部23を有している。そして、この空間部23の存在により第２の整地体９の下方位置における圃場表面部の水の流れは図４に示す矢印のようになる。
【００３２】
次に、上記一実施の形態の作用等を説明する。
【００３３】
代掻作業時には、農作業機１をトラクタの後部に装着した状態でトラクタの走行により進行方向前方に向けて移動させる。
【００３４】
農作業機１が進行方向前方に移動すると、耕耘体３にて耕耘作業が行われ、第１の整地体７および第２の整地体９にて整地作業が行なわれ、その結果、圃場表面部が略平らになるとともに、稲わら等の雑物が圃場表面下に埋め込まれる。
【００３５】
ここで、第２の整地体（レーキ体）９の下面側には、側面視略三角状の水圧減少用の空間部23が形成されているため、第２の整地体９の下方位置における圃場表面部の水の流れは図４に示す矢印のようになり、第２の整地体９の突出板部21の後端位置における圃場表面部の水の流れが穏やかになる。
【００３６】
すなわち、第２の整地体９の下方位置を流れる水は、整地面部18の下方位置を通過する際に加圧されるが、通過直後に空間部23で減圧され、さらに突出板部21の凹凸で減圧され、その後、その水の一部が突出板部21の切欠部22から斜め後上方に向って逃げ、その結果、第２の整地体９の突出板部21の後端位置における圃場表面部の水の流れが穏やかになる。
【００３７】
このように上記農作業機１によれば、整地体本体部13および突出板部21間に位置する水圧減少用の空間部23によって、第２の整地体９の突出板部21の後端位置における圃場表面部の水の流れが穏やかになるため、適切な整地作業ができ、均平性能および雑物の埋め込み性能等の向上を図ることができる。
【００３８】
なお、上記一実施の形態では、第２の整地体９の突出板部21の後端部は、作業時である代掻作業時には整地体本体部13の整地面部18と略同じ高さに位置する構成について説明したが、例えば図５に示すように、突出板部21の後端部が代掻作業時に整地面部18よりやや高い位置に位置するような構成でもよい。
【００３９】
また、整地体本体部13の後面部15の上下方向中間部から突出板部21が斜め後下方に向って直線状に突出した構成には限定されず、例えば図６に示すように、整地体本体部13の後面部15の上端（或いは上下方向中間部）から湾曲板からなる突出板部21が斜め後下方に向って曲線状に突出した構成でもよい。
【００４０】
さらに、整地体本体部13が左右水平方向に長手状の四角筒状部材12にて構成されたものには限定されず、例えば図７に示すように、整地体本体部13が左右水平方向に長手状の円筒状部材31にて構成されたものでもよく、この場合、円筒状の整地体本体部13の後端部から湾曲板からなる突出板部21が突出している。
【００４１】
また、図８に示すように、平面状の前面部32、湾曲面状の後面部33、平面状の上面部34および平面状の下面部（整地面部18）35にて構成された整地体本体部13を有し、この整地体本体部13の後面部33の上端から湾曲板からなる突出板部21が突出した構成でもよい。
【００４２】
さらに、図９および図１０に示すように、整地体本体部13から斜め後下方に向って突出した突出板部21の後部下側に、左右方向に並んだ複数の山形状部分41が形成された構成でもよい。
【００４３】
各山形状部分41は、それぞれ略三角形状をなす左右一対の傾斜面42にて構成され、一方の傾斜面42の上縁と他方の傾斜面42の上縁とが一体に連結され、この連結部分が山形状部分41の頂部43となっている。左右に隣合う山形状部分41間に位置する切欠部22は、前端に１つの頂点をもつ後方に向って開口した平面視略三角状のもので、一方の傾斜面42の切欠部22に臨んだ縁部44とこの縁部44と離間対向し他方の傾斜面42の切欠部22に臨んだ縁部45とがなす角度αが、略９０度に設定されている。なお角度αは５０〜１２０度の角度が好ましい。
【００４４】
そして、作業時には、第２の整地体９の下方位置を流れる水は、整地体本体部13の下面である整地面部18の下方位置を通過する際に加圧されるが、通過直後に空間部23で減圧される。その後、突出板部21の前部で再び加圧されるが、突出板部21の後部の山形状部分41の凹凸で減圧され、その後、その水の一部が平面視略三角状の切欠部22から後方に逃げる。水が切欠部22から後方に逃げる際、図１０に示すように、水は切欠部22から傾斜面42の縁部44，45に対して直交する方向に沿って流れ出て、その流れ出た水同士が干渉し合って拡散する。その結果、第２の整地体９の突出板部21の後端位置における圃場表面部の水の流れが穏やかになり、より一層適切な整地作業が可能となる。
【００４５】
なお、図２等に示す突出板部21でも、前端に１つの頂点をもつ後方に向って開口した平面視略三角状の切欠部22が突出板部21の後部に形成されているため、図１０に示すものと同様、切欠部22から流れ出た水同士が干渉し合って拡散し、突出板部21の後端位置における圃場表面部の水の流れが穏やかになる。
【００４６】
また、前記各実施の形態の構成を必要に応じて適宜組合わせたもの等でもよい。
【図面の簡単な説明】
【００４７】
【図１】本発明の農作業機の一実施の形態を示す側面図である。
【図２】同上農作業機の第２の整地体（整地体）の平面図である。
【図３】図２におけるＡ−Ａ断面図である。
【図４】第２の整地体の下方位置における水の流れを示した断面図である。
【図５】本発明の他の実施の形態の整地体の断面図である。
【図６】本発明のさらに他の実施の形態の整地体の断面図である。
【図７】本発明のさらに他の実施の形態の整地体の断面図である。
【図８】本発明のさらに他の実施の形態の整地体の断面図である。
【図９】本発明のさらに他の実施の形態の整地体の断面図である。
【図１０】同上整地体の平面図である。
【符号の説明】
【００４８】
１    農作業機
３    耕耘体
９    整地体である第２の整地体
12    四角筒状部材
13    整地体本体部
18    整地面部
21    突出板部
22    切欠部
23    水圧減少用の空間部
【図１】
2006149366.tif 000003
【図２】
2006149366.tif 000004
【図３】
2006149366.tif 000005
【図４】
2006149366.tif 000006
【図５】
2006149366.tif 000007
【図６】
2006149366.tif 000008
【図７】
2006149366.tif 000009
【図８】
2006149366.tif 000010
【図９】
2006149366.tif 000011
【図１０】
2006149366.tif 000012